(57)【要約】【課題】ゆで卵切り器として、一方向切断及びみじん切りの両方ができるものが提案されているが、形状が大きいとか、切断に大きな力を要するとかの問題があった。【解決手段】本発明のゆで卵切り器は、第一の枠及び第一の枠にほぼ平行に張設された複数の切断用の線とからなる第一の切断具と、第二の枠及び第二の枠にほぼ平行に張設された複数の切断用の線とからなる第二の切断具とからなり、第一の切断具と第二の切断具とは係止手段で係止可能であり、第一の切断具と第二の切断具とは、両者が重ね合わせられたときに、それぞれの切断用の線が交差するように配置されていることを特徴とする。【選択図】    図８
2006175529.tif 000002
【特許請求の範囲】
【請求項１】
第一の枠及び第一の枠にほぼ平行に張設された複数の切断用の線とからなる第一の切断具と、第二の枠及び第二の枠にほぼ平行に張設された複数の切断用の線とからなる第二の切断具とからなり、第一の切断具と第二の切断具とは係止手段で係止可能であり、第一の切断具と第二の切断具とは、両者が重ね合わせられたときに、それぞれの切断用の線が交差するように配置されていることを特徴とするゆで卵切り用の切断器。
【請求項２】
係止手段が、第一の枠に上向きに設けられた筒状の小突起と、前記小突起と対向する位置で第二の枠に設けられた前記小突起と嵌合する穴とからなることを特徴とする請求項１記載のゆで卵切り用の切断器。
【請求項３】
係止手段が、第一の枠に設けられた穴と、前記穴と対向する位置で第二の枠に設けられた前記穴と嵌合する下向きに設けられた筒状の小突起とからなることを特徴とする請求項１記載のゆで卵切り用の切断器。
【請求項４】
係止手段が、第一の枠と第二の枠とを接合する蝶番であることを特徴とする請求項１記載のゆで卵切り用の切断器。
【請求項５】
請求項１ないし５のいずれかに記載のゆで卵切り用の切断器と、この切断器を載置する載置台からなることを特徴とするゆで卵切り器。
【請求項６】
第一の切断具の枠及び第二の切断具の枠の少なくとも一方に、載置台の内壁に嵌合する辺が延設されていることを特徴とする請求項５記載のゆで卵切り器。
【発明の詳細な説明】
【技術分野】
【０００１】
本発明は、ゆで卵切り用の切断具及びそれを使ったゆで卵切り器に関する。
【背景技術】
【０００２】
ゆで卵を一方向に切断するゆで卵切り器は市販されており公知である。実開昭６４−５６９９７号公報には、ゆで卵をみじん切りにするゆで卵切り器が開示されている。
【０００３】
実開昭５７−７５８４３号公報には、ゆで卵を一方向に切断することもでき、みじん切りにすることもできる、ゆで卵切り器が開示されている。
【発明の開示】
【発明が解決しようとする課題】
【０００４】
上記した一方向にのみ切断するゆで卵切り器では、ゆで卵を一方向にしか切断することができず、ゆで卵をみじん切りにするには、一度切断したものを、向きを変えて、再度切断しなければならず手間がかかっていた。
【０００５】
他方、実開昭６４−５６９９７号公報に記載されているゆで卵をみじん切りにする切り器では、みじん切りにすることはできるが、一方向に切断することはできなかった。
【０００６】
実開昭５７−７５８４３号公報に開示されている、ゆで卵切り器は、第１の刃を枠に固定し、第１の刃と交差する第２の刃をスライド可能に枠に設けているため、大きな形状になると共に、梃の原理で、ゆで卵を切断するものの、ゆで卵の載置部が把持部の遠くに形状されているため、大きな力を必要とする。
【０００７】
【特許文献１】実開昭６４−５６９９７号
【特許文献２】実開昭５７−７５８４３号
【０００８】
本発明は、このような従来の技術の問題点を解決しようとするものであり、小型であって、一方向に切断すると共にみじん切りにすることもでき、さらに少しの力で切断することができるゆで卵切り器を提供する。
【課題を解決するための手段】
【０００９】
本発明によれば、第一の枠及び第一の枠にほぼ平行に張設された複数の切断用の線とからなる第一の切断具と、第二の枠及び第二の枠にほぼ平行に張設された複数の切断用の線とからなる第二の切断具とからなり、第一の切断具と第二の切断具とは係止手段で係止可能であり、第一の切断具と第二の切断具とは、両者が重ね合わせられたときに、それぞれの切断用の線が交差するように配置されていることを特徴とするゆで卵用の切断具が提供される。
【００１０】
また、本発明によれば、上記のゆで卵用の切断具と、この切断具を載置する載置台とからなることを特徴とするゆで卵切り器が提供される。
【発明の効果】
【００１１】
本発明のゆで卵切り器は、ゆで卵を一方向に切断することもでき、みじん切りにすることもできる。また本発明のゆで卵切り器で使用される切断具は小型であって、ゆで卵を切断する際に多くの力を必要としない。
【発明を実施するための最良の形態】
【００１２】
以下本発明の実施の形態を図１〜図９に基づいて説明する。
【００１３】
図１及び図２は、本発明における第一の切断具１の上面図及び側面図である。第一の切断具１は枠２とこの枠２にほぼ平行に張設された複数の切断用の線３とから構成される。
【００１４】
枠２には、後述する第二の切断具の穴と嵌合する小突起４が設けられている。枠２には、小突起４の方向とは反対側に、辺５が延設されている。辺５は後述する載置台の内壁に嵌合して、切断具１が載置台に固定される。
【００１５】
第一の切断具１の枠２の形状については、特に制限はなく、図示する円環状であっても良く、矩形状あるいは、多角形状であっても良い。
【００１６】
切断用の線３の材質については特別の制限はないが、通常、金属線が使用される。切断用の線３の太さ、間隔は、当業者が適宜決定することができる。切断用の線３は常方法に従って枠２に張設される。
【００１７】
小突起４は枠２の上に一個以上設けられる。第一の切断具と後述する第二の切断具とを強固に係止するために、第二の切断具の枠に設けられた二個以上の穴と嵌合する二個以上の小突起４を設けることが好ましい。
【００１８】
図３及び図４は、本発明における第二の切断具６の上面図及び側面図である。
【００１９】
第二の切断具６は枠７と上記と同様に枠７に張設された切断用の線８とから構成される。
【００２０】
枠７には、第一の切断具１における小突起４と嵌合するための穴９が設けられている。
【００２１】
第二の切断具６には第一の切断具１と同様に辺１０を設けることもできる。
【００２２】
第一の切断具１に穴を設け、第二の切断具６に小突起を設けて、両切断具１及び６を係止するようにしてもよい。この場合、小突起の高さを第一の切断具１の枠の厚さとほぼ等しくすることが好ましい。
【００２３】
第一の切断具１と第二の切断具６が嵌合された状態を図５及び図６に示す。
【００２４】
図５は、第一の切断具１の小突起４と第二の切断具６の穴９とが嵌合した状態の一部拡大図である。他方、図６は、第一の切断具１に設けられた穴１１と第二の切断具６に設けられた小突起１２とが嵌合された状態の一部拡大図である。
【００２５】
第一の切断具１と第二の切断具６とを係止するための係止手段は、上述した小突起と穴との組み合わせであってもよく、図７に示す蝶番１３であってもよい。
【００２６】
第一の切断具１と第二の切断具６とを、蝶番１３で係止する場合においても、蝶番と対向する位置に小突起１４と穴１５との組み合わせからなる係止手段を併設することが好ましい。
【００２７】
図８は、第一の切断具１を載置台１６に嵌合させた状態を示す。載置台１６の材質については、特に制限はなく、プラスチック、金属、木材であってもよい。前述したように、載置台１６の内壁１７に、たとえば第一の切断具１の辺５が嵌合して、第一の切断具１が載置台１６に固定される。載置台１６の形状は、ゆで卵切断器の形状に整合させることが必要である。第一の切断具１の線３の上にゆで卵を置き、手のひら、あるいは適当な板状物で上からゆで卵を押しつけることによって、一方向に切断されたゆで卵が得られる。
【００２８】
図９は、第一の切断具１と第二の切断具６とが嵌合により係止されたゆで卵切断器が、載置台１６に嵌合された状態を示す。第二の切断具６の線８の上にゆで卵を置き、手のひらあるいは、適当な板状物で上からゆで卵を押しつけることによって、みじん切りにされたゆで卵が得られる。なお、予め、一方向に切断されたゆで卵を、第二の切断具６の線８の上に置いて上方から押しつけることによって、みじん切りにされたゆで卵を得ることもできる。
【図面の簡単な説明】
【００２９】
【図１】第一の切断具の上面図
【図２】第一の切断具の側面図
【図３】第二の切断具の上面図
【図４】第二の切断具の側面図
【図５】係止状態の一部拡大図
【図６】係止状態の一部拡大図
【図７】係止状態の一部拡大図
【図８】第一の切断具が載置台に嵌合された状態を示す図
【図９】ゆで卵切断器が載置台に嵌合された状態を示す図
【符号の説明】
【００３０】
１   第一の切断具
６   第二の切断具
２、７  枠
３、８  線
４  小突起
９  穴
１３  蝶番
１６  載置台
【図１】
2006175529.tif 000003
【図２】
2006175529.tif 000004
【図３】
2006175529.tif 000005
【図４】
2006175529.tif 000006
【図５】
2006175529.tif 000007
【図６】
2006175529.tif 000008
【図７】
2006175529.tif 000009
【図８】
2006175529.tif 000010
【図９】
2006175529.tif 000011